(57)【要約】      （修正有）【課題】１枚の展開状態の厚板から全てが構成され、ロールペーパーの回転引き出し性に優れるロールペーパー格納箱を提供する。【解決手段】１枚の展開状態の厚板を折り曲げることにより箱本体１０２を形成し、箱本体１０２の中に設けた格納部１０３にロールペーパー１を納め、かつ箱本体１０２に備えた引き出し口１０４からペーパー２を引き出して使用可能にするロールペーパー格納箱１００であって、箱本体１０２が格納部１０３を開閉する蓋板３１を有し、蓋板３１が蓋板３１につながる支軸部４０を備え、外界に開かれた蓋板３１の支軸部４０にロールペーパー１が回転可能に挿填され、蓋板３１がロールペーパー１を支軸部４０に挿填した状態で閉蓋され、支軸部４０及びロールペーパー１を格納部１０３に格納可能にするロールペーパー収納箱。【選択図】図３
2015208502.tif 000002
【特許請求の範囲】
【請求項１】
１枚の展開状態の厚板を折り曲げることにより箱本体を形成し、該箱本体の中に設けた格納部にロールペーパーを納め、かつ該箱本体に備えた引き出し口からペーパーを引き出して使用可能にするロールペーパー格納箱であって、
前記箱本体が前記格納部を開閉する蓋板を有し、該蓋板が該蓋板につながる支軸部を備え、
外界に開かれた該蓋板の該支軸部にロールペーパーが回転可能に挿填され、該蓋板が該ロールペーパーを該支軸部に挿填した状態で閉蓋され、該支軸部及び該ロールペーパーを該格納部に格納可能にしてなるロールペーパー格納箱。
【請求項２】
前記箱本体が前記引き出し口を備えた正面板を有するとき、前記蓋板が該正面板、又は該正面板に相対する背面板の上縁部に連設されているヒンジ部を回転中心として開閉可能にされ、該蓋板の該ヒンジ部に交差する側縁部に連結片を介して前記支軸部を備える請求項１に記載のロールペーパー格納箱。
【請求項３】
前記連結片が、前記蓋板の閉蓋時に、前記箱本体の正面板及び背面板に交差する側板の内側面に添って前記格納部に納められる平板状をなし、
前記支軸部が該連結片の先端部に連結されて丸められた筒状をなす請求項２に記載のロールペーパー格納箱。
【請求項４】
前記蓋板の前記ヒンジ部に交差する両側の第１と第２の側縁部のそれぞれに第１と第２の連結片を介して第１と第２の支軸部を備え、第１と第２の支軸部は一方の支軸部に他方の支軸部が重合されて連結され、これらの第１と第２の支軸部にロールペーパーを挿填可能にする請求項２又は３に記載のロールペーパー格納箱。
【請求項５】
前記蓋板の前記ヒンジ部に交差する両側の第１と第２の側縁部のそれぞれに第１と第２の連結片を介して支軸部と軸受部を備え、ロールペーパーが挿填された支軸部の自由端を軸受部に支持させてなる請求項２又は３に記載のロールペーパー格納箱。
【発明の詳細な説明】
【技術分野】
【０００１】
本発明はロールペーパー格納箱に関する。
【背景技術】
【０００２】
従来、特許文献１、２に基礎の如く、箱本体の内部にロールペーパーを納め、箱本体に備えた引き出し口からペーパーを引き出して使用可能にするロールペーパー格納箱がある。
【０００３】
特許文献１に記載のロールペーパー格納箱は、ダンボール紙等からなる箱本体の内側に左右軸受板を設け、この左右軸受板に備えた縦溝状軸受部に、ロールペーパーの中心孔に通した支軸の両端部を差し込み支持する。ロールペーパーの引き出し端を箱本体の正面に設けた引き出し口から引張るとき、ロールペーパーが上記支軸まわりで回転し、引き出し使用可能にされる。
【０００４】
特許文献２に記載のロールペーパー格納箱は、厚紙からなる箱本体の底板を傾斜させるとともに、底板に連なる立上り板を正面内側に膨らみを付けて接着し、この底板の上にロールペーパーを載置する。ロールペーパーの引き出し端を箱本体の正面に設けた引き出し口から引張るとき、ロールペーパーが上記底板と膨らみによって回転し、引き出し使用可能にされる。
【先行技術文献】
【特許文献】
【０００５】
【特許文献１】実開平2-86392号公報
【特許文献２】意登録1059549号公報
【発明の概要】
【発明が解決しようとする課題】
【０００６】
特許文献１に記載のロールペーパー格納箱にあっては、箱本体とは別部品となる左右軸受板、支軸等を必要とし、それらの組立段階までばらばらな複数パーツを管理する必要があり、取扱い性が悪い。
【０００７】
特許文献２に記載のロールペーパー格納箱にあっては、箱本体の内部に納めたロールペーパーを傾斜状底板の上に載置し、底板と、底板に連なる立上り板の膨らみによってロールペーパーを回転させて引き出し可能にしている。ロールペーパーの外周が底板と膨らみに擦られながら回転するものであり、その回転引き出し性は悪い。
【０００８】
本発明の課題は、１枚の展開状態の厚板から全てが構成され、ロールペーパーの回転引き出し性に優れるロールペーパー格納箱を提供することにある。
【課題を解決するための手段】
【０００９】
請求項１に係る発明は、１枚の展開状態の厚板を折り曲げることにより箱本体を形成し、該箱本体の中に設けた格納部にロールペーパーを納め、かつ該箱本体に備えた引き出し口からペーパーを引き出して使用可能にするロールペーパー格納箱であって、前記箱本体が前記格納部を開閉する蓋板を有し、該蓋板が該蓋板につながる支軸部を備え、外界に開かれた該蓋板の該支軸部にロールペーパーが回転可能に挿填され、該蓋板が該ロールペーパーを該支軸部に挿填した状態で閉蓋され、該支軸部及び該ロールペーパーを該格納部に格納可能にしてなるようにしたものである。
【００１０】
請求項２に係る発明は、請求項１に係る発明において更に、前記箱本体が前記引き出し口を備えた正面板を有するとき、前記蓋板が該正面板、又は該正面板に相対する背面板の上縁部に連設されているヒンジ部を回転中心として開閉可能にされ、該蓋板の該ヒンジ部に交差する側縁部に連結片を介して前記支軸部を備えるようにしたものである。
【００１１】
請求項３に係る発明は、請求項２に係る発明において更に、前記連結片が、前記蓋板の閉蓋時に、前記箱本体の正面板及び背面板に交差する側板の内側面に添って前記格納部に納められる平板状をなし、前記支軸部が該連結片の先端部に連結されて丸められた筒状をなすようにしたものである。
【００１２】
請求項４に係る発明は、請求項２又は３に係る発明において更に、前記蓋板の前記ヒンジ部に交差する両側の第１と第２の側縁部のそれぞれに第１と第２の連結片を介して第１と第２の支軸部を備え、第１と第２の支軸部は一方の支軸部に他方の支軸部が重合されて連結され、これらの第１と第２の支軸部にロールペーパーを挿填可能にするようにしたものである。
【００１３】
請求項５に係る発明は、請求項２又は３に係る発明において更に、前記蓋板の前記ヒンジ部に交差する両側の第１と第２の側縁部のそれぞれに第１と第２の連結片を介して支軸部と軸受部を備え、ロールペーパーが挿填された支軸部の自由端を軸受部に支持させてなるようにしたものである。
【発明の効果】
【００１４】
（請求項１）
(a)１枚の展開状態の厚紙等の厚板を折り曲げることにより箱本体を形成し、支軸部を箱本体の一部である蓋板につなげるようにして備えた。これにより、箱本体及び支軸部からなるロールペーパー格納箱の全てが１枚の厚板から構成され、ばらばらな複数パーツを管理する必要がないし、組立段階まで１枚の展開状態の厚板を管理するだけで足り、取扱い性を向上できる。
【００１５】
(b)蓋板に支軸部を備え、外界に開かれた蓋板の支軸部にロールペーパーが回転可能に挿填され、蓋板がロールペーパーを支軸部に挿填した状態で閉蓋される。従って、上述(a)により箱本体に支軸部を一体結合化しながら、箱本体の格納部に納められるロールペーパーを、同じく格納部の中に配設されて使用される支軸部に対し簡易かつ確実に挿填してセットできる。
【００１６】
(c)箱本体の内部に納められるロールペーパーが支軸部に回転可能に挿填されてセットされ、ロールペーパーを支軸部まわりで回転可能にしたから、ロールペーパーの引き出し使用性は良い。
【００１７】
（請求項２）
(d)前記箱本体が前記引き出し口を備えた正面板を有するとき、前記蓋板が該正面板、又は該正面板に相対する背面板の上縁部に連設されているヒンジ部を回転中心として開閉可能にされ、該蓋板の該ヒンジ部に交差する側縁部に連結片を介して前記支軸部を備える。これにより、支軸部が、連結片を介することにより、箱本体の格納部の中の高さ方向中間レベルに位置付けられ、かつ引き出し口に平行配置される。従って、支軸部に回転可能に挿填されたロールペーパーは、格納部の中の適宜の高さ位置にセットされ、かつ引き出し口から円滑に引き出し使用可能にされる。
【００１８】
（請求項３）
(e)前記連結片が、前記蓋板の閉蓋時に、前記箱本体の正面板及び背面板に交差する側板の内側面に添って前記格納部に納められる平板状をなす。これにより、ロールペーパーの全幅を、箱本体の両側の側板の内法から連結片の平板厚みを差し引いて得られた寸法に近い値に設定しておくことで、ロールペーパーが回転可能に挿填された支軸部を箱本体の格納部に納めたとき、箱本体の側板の内面とロールペーパーの端面との間に挟まれる連結片の振れ動きを抑制できる。従って、この連結片に連結されている支軸部は、格納部の中における位置を安定化され、ロールペーパーを安定的に回転可能にし、ロールペーパーの引き出し使用性を向上する。
【００１９】
(f)前記支軸部が前記連結片の先端部に連結されて丸められた筒状をなす。丸められた筒状支軸部は、支軸部が平板状をなすものに比して、支軸部まわりでのロールペーパーの回転性をスムースにし、ロールペーパーの引き出し使用性を向上する。
【００２０】
（請求項４）
(g)前記蓋板の前記ヒンジ部に交差する両側の第１と第２の側縁部のそれぞれに第１と第２の連結片を介して第１と第２の支軸部を備え、第１と第２の支軸部は一方の支軸部に他方の支軸部が重合されて連結され、これらの第１と第２の支軸部にロールペーパーを挿填可能にする。第１と第２の支軸部は重合された状態で１本化された合成支軸部の如くになり、この合成支軸部は蓋板の両側の側縁部に設けられた第１と第２の連結片により両持ち支持されるものになる。これにより、この合成支軸部は箱本体の中における支持状態を安定化され、ロールペーパーを安定的に回転可能にし、ロールペーパーの引き出し使用性を向上する。
【００２１】
（請求項５）
(h)前記蓋板の前記ヒンジ部に交差する両側の第１と第２の側縁部のそれぞれに第１と第２の連結片を介して支軸部と軸受部を備え、ロールペーパーが挿填された支軸部の自由端を軸受部に支持させる。支軸部は、一端を蓋板の一側の側縁部に設けられた第１の連結片に支持され、他端の自由端を蓋板の他側の側縁部に設けられた第２の連結片の軸受部に支持される。従って、支軸部は蓋板の両側の側縁部に設けられた第１と第２の連結片により両持ち支持されるものになる。これにより、支軸部は箱本体の中における支持状態を安定化され、ロールペーパーを安定的に回転可能にし、ロールペーパーの引き出し使用性を向上する。
【図面の簡単な説明】
【００２２】
【図１】図１はロールペーパー格納箱を構成する厚紙の展開図である。
【図２】図２はロールペーパー格納箱の組立過程を示す斜視図である。
【図３】図３は蓋板の支軸部にロールペーパーを挿填する過程を示す斜視図である。
【図４】図４は蓋板の支軸部に挿填したロールペーパーを格納部に格納する過程を示す斜視図である。
【図５】図５は閉蓋された格納箱からロールペーパーを引き出して使用する状態を示す斜視図である。
【図６】図６は図５のVI−VI線に沿う断面図である。
【発明を実施するための形態】
【００２３】
ロールペーパー格納箱１００は、１枚の板紙、段ボール紙等の厚紙を印刷機、打抜き機に通すことにより、図１の展開紙１０１に打抜き形成される。その後の使用段階で、図２〜図５に示す如くに組立てられて使用される。即ち、展開紙１０１を折り曲げることにより箱本体１０２を形成し（図２、図３）、箱本体１０２の中に設けた格納部１０３にロールペーパー１を納め（図４）、かつ箱本体１０２に備えた引き出し口１０４からペーパー２を引き出して使用可能にする（図５、図６）。
【００２４】
ロールペーパー格納箱１００は、図１に示す如く、正面板１１の左右の側縁部に左右の側板１２、１３を折り曲げ可能に連設し、側板１３の左側縁部に背面板１４を折り曲げ可能に連設している。更に、ロールペーパー格納箱１００は、側板１２の左側縁部に差込片１２Ａを折り曲げ可能に連設し、背面板１４の右側縁部に当て板１４Ａを折り曲げ可能に連設するとともに、背面板１４と当て板１４Ａの折り曲げ部に沿う中央部分に差込片１２Ａのための差込スリット１４Ｂを設けている。図２に示す如く、正面板１１に対して左右の側板１２、１３を折り曲げ、側板１３に対して背面板１４を折り曲げ、背面板１４に対して折り曲げた当て板１４Ａの上に側板１２を当て、側板１２に対して折り曲げた差込片１２Ａを差込スリット１４Ｂに差し込むことにより、平面視で四角状の箱胴１０が形成される。箱胴１０において、正面板１１の内側面と背面板１４の内側面の内法はロールペーパー１を格納可能とするように、該ロールペーパー１の格納当初の外径より大きく設定され、左右の側板１２、１３の内法はロールペーパー１の幅より大きく設定される。
【００２５】
このとき、背面板１４は当て板１４Ａの折り曲げ部に沿う中央部分（差込スリット１４Ｂに沿う部分）を該当て板１４Ａの折り曲げ部よりも長さｈだけ僅かに突き出した突片１５とし、差込スリット１４Ｂに差し込まれた側板１２の差込片１２Ａの外側面を突片１５の内側面に当接させ、箱胴１０の組立強度を高めている。
【００２６】
尚、正面板１１は、その下端寄りにガイド板１６を有する。ガイド板１６は、正面板１１の全幅に渡る上縁部、及び左右側縁部を切断され、正面板１１の全幅に渡る下縁部で折り曲げられて箱内方側へと押し込まれる。ガイド板１６は、図３に示す如く、この押込みによって、正面板１１の下端寄りに引き出し口１０４を開口するとともに、箱内方側への押込み方向に沿う中間部で更に折り曲げられてくの字断面状をなし、ペーパー２の引き出しをガイドする。
【００２７】
ロールペーパー格納箱１００は、図１に示す如く、正面板１１、左右の側板１２、１３、背面板１４の各下縁部に、底板２１、左右の底フラップ２２、２３、底舌片２４のそれぞれを折り曲げ可能に連設している。正面板１１に対して底板２１を折り曲げ、左右の側板１２、１３に対して折り曲げた左右の底フラップ２２、２３を底板２１の外側面の上に重ね、背面板１４に対して折り曲げた底舌片２４を左底フラップ２２と右底フラップ２３の各外側面の上に重ねるとともに、底舌片２４の先端突出部２４Ａを底板２１の先端凹部２１Ａに通して該底板２１の内側面上に差し入れる。これにより、底板２１、左右の底フラップ２２、２３、底舌片２４が互いに重なり合った箱底２０が形成される。
【００２８】
ロールペーパー格納箱１００は、図１に示す如く、正面板１１の上縁部に蓋板３１を折り曲げ可能に連設し、蓋板３１の先端縁部に閉じ込め板３２を折り曲げ可能に連設している。蓋板３１は、正面板１１との折り曲げ部をヒンジ部３３とし、このヒンジ部３３を回転中心として回転し、箱胴１０及び箱底２０とともに箱本体１０２を形成するとともに、箱本体１０２の中の格納部１０３を開閉可能にする。図５、図６に示す如く、正面板１１に対して蓋板３１を折り曲げ、蓋板３１に対して折り曲げた閉じ込め板３２を背面板１４の内側面に添って挿着することにより、格納部１０３を閉じる（閉蓋する）ものになる。
【００２９】
このとき、蓋板３１は閉じ込め板３２の折り曲げ部に沿う中央部分を閉じ込め板３２の折り曲げ部よりも長さｈだけ僅かに突き出した突片３４とし、閉じ込め板３２が背面板１４の内側面に挿着された蓋板３１の閉蓋状態で、蓋板３１の突片３４が背面板１４の上端面に当接し、箱本体１０２の閉蓋強度を高めている。また、蓋板３１は左右の両側縁部３１Ａ、３１Ｂを箱胴１０の外法（左右の側板１２、１３の外法）よりも外方に長さｈだけ僅かに突き出した突片３５、３６とし、蓋板３１の閉蓋の状態で、蓋板３１の突片３５、３６が左右の側板１２、１３の上端面に当接し、箱本体１０２の閉蓋強度を高めている。
【００３０】
ロールペーパー格納箱１００は、蓋板３１が該蓋板３１につながる支軸部４０を備え、図３〜図６に示す如く、外界に開かれた蓋板３１の支軸部４０にロールペーパー１が回転可能に挿填され、蓋板３１がロールペーパー１を支軸部４０に挿填した状態で閉蓋され、支軸部４０及びロールペーパー１を格納部１０３に格納可能にしている。支軸部４０は、蓋板３１のヒンジ部３３に交差する側縁部に連結片６１（第１の連結片６１）を介して連結され、連結片６１の内側に折り曲げられた状態でロールペーパー１の中心孔の中に挿入される。支軸部４０に挿填されたロールペーパー１の先端ペーパー２を引き出し口１０４から外に引っ張れば、ロールペーパー１は支軸部４０を中心として回転し、ペーパー２を軽快に引き出し可能にする。
【００３１】
本実施例において、ロールペーパー格納箱１００は、蓋板３１のヒンジ部３３に交差する両側の第１と第２の側縁部３１Ａ、３１Ｂのそれぞれに第１と第２の連結片６１、６２を介して支軸部４０と軸受部５０を備え、ロールペーパー１が挿填された支軸部４０の自由端を軸受部５０に支持させる。第１と第２の連結片６１、６２は、支軸部４０に挿填されたロールペーパー１が格納部１０３に格納されたとき、支軸部４０が格納部１０３の高さ方向の概ね中央部に位置し得る長さとされる。また、支軸部４０はロールペーパー１の幅（ロールペーパー１の中心孔の長さ）より僅かに短く設定される。
【００３２】
ここで、第１と第２の連結片６１、６２は、蓋板３１の閉蓋時に、箱本体１０２の正面板１１及び背面板１４に交差する左右の側板１２、１３の内側面に添って格納部１０３に納められる平板状をなす。このとき、第１と第２の連結片６１、６２は、蓋板３１の両側の側縁部３１Ａ、３１Ｂに設けられている突片３５、３６よりも、長さｈだけ内方に位置する折り曲げ部で折り曲げられ、左右の側板１２、１３の内側に差し込まれる。
【００３３】
そして、支軸部４０は、第１の連結片６１の先端部に連結される広幅片４１と、広幅片４１の一端側に順に折り曲げ可能につながる狭幅片４２〜４４と、広幅片４１の他端側に順に折り曲げ可能につながる狭幅片４５、４６と、狭幅片４４の先端縁部に連設される係止片４４Ａと、狭幅片４６の先端縁部に連設される当て板４６Ａとを有する。狭幅片４６と当て板４６Ａとの折り曲げ部に沿う中央部分には、係止片４４Ａのための差込スリット４６Ｂを設けている。支軸部４０は、広幅片４１の両側で各狭幅片４２〜４４、狭幅片４５、４６を順に折り曲げ、狭幅片４６に対して折り曲げた当て板４６Ａの上に狭幅片４４を当て、狭幅片４４に対して折り曲げた係止片４４Ａを差込スリット４６Ｂに差し込むことにより、六角筒状に丸められた支軸部４０が形成される。
【００３４】
また、軸受部５０は、第２の連結片６２の先端部に連設される広幅片５１と、広幅片５１の両側に折り曲げ可能につながる狭幅片５２、５３と、狭幅片５２の先端縁部に連設される係止片５２Ａと、狭幅片５３の先端縁部に連設される当て板５３Ａとを有する。狭幅片５３と当て板５３Ａとの折り曲げ部に沿う中央部分には、係止片５２Ａのための差込スリット５３Ｂを設けている。支軸部５０は、広幅片５１の両側で各狭幅片５２、５３を折り曲げ、狭幅片５３に対して折り曲げた当て板５３Ａの上に狭幅片５２を当て、狭幅片５２に対して折り曲げた係止片５２Ａを差込スリット５３Ｂに差し込むことにより、三角筒状に丸められた支軸部５０が形成される。支軸部４０の六角筒の内径は軸受部５０の三角筒の外径を挿入可能な寸法とされ、結果として、ロールペーパー１が挿填された支軸部４０の自由端の内径部に軸受部５０の外径部を嵌合可能とし、支軸部４０の自由端を軸受部５０に支持させることを可能にしている。
【００３５】
従って、ロールペーパー格納箱１００は以下の手順で組立てられて使用される。
(1)正面板１１に対して左右の側板１２、１３を折り曲げ、側板１３に対して背面板１４を折り曲げ、背面板１４に対して折り曲げた当て板１４Ａの上に側板１２を当て、側板１２に対して折り曲げた差込片１２Ａを差込スリット１４Ｂに差し込む（図２）。これにより、箱胴１０が形成される。
【００３６】
(2)正面板１１に対して底板２１を折り曲げ、左右の側板１２、１３に対して折り曲げた左右の底フラップ２２、２３を底板２１の外側面の上に重ね、背面板１４に対して折り曲げた底舌片２４を左底フラップ２２と右底フラップ２３の各外側面の上に重ねるとともに、底舌片２４の先端突出部２４Ａを底板２１の先端凹部２１Ａに通して該底板２１の内側面上に差し入れる。これにより、箱底２０が形成される。
【００３７】
(3)正面板１１の下端寄りに設けられているガイド板１６を箱内方側へと押し込み、引き出し口１０４を開口するとともに、該ガイド板１６をくの字断面状に折り曲げ、ペーパー２の引き出しをガイド可能にする（図３）。
【００３８】
(4)外界に開かれた蓋板３１が第１の連結片６１を介して備えている六角筒状の支軸部４０をロールペーパー１の中心孔に一端側から挿入し、蓋板３１が第２の連結片６２を介して備えている三角筒状の軸受部をロールペーパー１の中心孔に他端側から挿入し、支軸部４０の自由端の内径部に軸受部５０の外径部を嵌合する（図３、図４）。これにより、蓋板３１の支軸部４０にロールペーパー１が回転可能に挿填され、この蓋板３１がロールペーパー１を挿填した状態で閉蓋されて箱本体１０２を閉じ、箱本体１０２の中に形成された格納部１０３に支軸部４０、軸受部５０、及びロールペーパー１が格納される(図５、図６)。
【００３９】
(5)格納部１０３に格納されたロールペーパー１の先端ペーパー２が箱本体１０２の引き出し口１０４からつまみ出され、その必要長さが引き出されて使用される。
【００４０】
本実施例によれば以下の作用効果を奏する。
(a)１枚の展開状態の厚紙等の厚板を折り曲げることにより箱本体１０２を形成し、支軸部４０を箱本体１０２の一部である蓋板３１につなげるようにして備えた。これにより、箱本体１０２及び支軸部４０からなるロールペーパー格納箱１００の全てが１枚の厚板から構成され、ばらばらな複数パーツを管理する必要がないし、組立段階まで１枚の展開状態の厚板を管理するだけで足り、取扱い性を向上できる。
【００４１】
(b)蓋板３１に支軸部４０を備え、外界に開かれた蓋板３１の支軸部４０にロールペーパー１が回転可能に挿填され、蓋板３１がロールペーパー１を支軸部４０に挿填した状態で閉蓋される。従って、上述(a)により箱本体１０２に支軸部４０を一体結合化しながら、箱本体１０２の格納部１０３に納められるロールペーパー１を、同じく格納部１０３の中に配設されて使用される支軸部４０に対し簡易かつ確実に挿填してセットできる。
【００４２】
(c)箱本体１０２の内部に納められるロールペーパー１が支軸部４０に回転可能に挿填されてセットされ、ロールペーパー１を支軸部４０まわりで回転可能にしたから、ロールペーパー１の引き出し使用性は良い。
【００４３】
(d)前記箱本体１０２が引き出し口１０４を備えた正面板１１を有するとき、前記蓋板３１が正面板１１の上縁部に連設されているヒンジ部３３を回転中心として開閉可能にされ、該蓋板３１の該ヒンジ部３３に交差する側縁部に連結片６１を介して前記支軸部４０を備える。これにより、支軸部４０が、連結片６１を介することにより、箱本体１０２の格納部１０３の中の高さ方向中間レベルに位置付けられ、かつ引き出し口１０４に平行配置される。従って、支軸部４０に回転可能に挿填されたロールペーパー１は、格納部１０３の中の適宜の高さ位置にセットされ、かつ引き出し口１０４から円滑に引き出し使用可能にされる。
【００４４】
(e)前記連結片６１が、前記蓋板３１の閉蓋時に、前記箱本体１０２の正面板１１及び背面板１４に交差する側板１３の内側面に添って前記格納部１０３に納められる平板状をなす。これにより、ロールペーパー１の全幅を、箱本体１０２の両側の側板１２、１３の内法から連結片６１の平板厚みを差し引いて得られた寸法に近い値に設定しておくことで、ロールペーパー１が回転可能に挿填された支軸部４０を箱本体１０２の格納部１０３に納めたとき、箱本体１０２の側板１３の内面とロールペーパー１の端面との間に挟まれる連結片６１の振れ動きを抑制できる。従って、この連結片６１に連結されている支軸部４０は、格納部１０３の中における位置を安定化され、ロールペーパー１を安定的に回転可能にし、ロールペーパー１の引き出し使用性を向上する。
【００４５】
(f)前記支軸部４０が前記連結片６１の先端部に連結されて丸められた筒状をなす。丸められた筒状支軸部４０は、支軸部４０が平板状をなすものに比して、支軸部４０まわりでのロールペーパー１の回転性をスムースにし、ロールペーパー１の引き出し使用性を向上する。
【００４６】
(g)前記蓋板３１の前記ヒンジ部３３に交差する両側の第１と第２の側縁部３１Ａ、３１Ｂのそれぞれに第１と第２の連結片６１、６２を介して支軸部４０と軸受部５０を備え、ロールペーパー１が挿填された支軸部４０の自由端を軸受部５０に支持させる。支軸部４０は、一端を蓋板３１の一側の側縁部３１Ａに設けられた第１の連結片６１に支持され、他端の自由端を蓋板３１の他側の側縁部３１Ｂに設けられた第２の連結片６２の軸受部５０に支持される。従って、支軸部４０は蓋板３１の両側の側縁部３１Ａ、３１Ｂに設けられた第１と第２の連結片６１、６２により両持ち支持されるものになる。これにより、支軸部４０は箱本体１０２の中における支持状態を安定化され、ロールペーパー１を安定的に回転可能にし、ロールペーパー１の引き出し使用性を向上する。
【００４７】
以上、本発明の実施例を図面により詳述したが、本発明の具体的な構成はこの実施例に限られるものではなく、本発明の要旨を逸脱しない範囲の設計の変更等があっても本発明に含まれる。例えば、本発明では、前記蓋板の前記ヒンジ部に交差する両側の第１と第２の側縁部のそれぞれに第１と第２の連結片を介して第１と第２の支軸部を備え、第１と第２の支軸部は一方の支軸部に他方の支軸部が重合されて連結され、これらの第１と第２の支軸部にロールペーパーを挿填可能にするものでも良い。
【００４８】
また、本発明の支軸部は、丸められた筒状をなすことでロールペーパーの回転引き出し性を向上するが、１枚の平板のみからなるもの、又は複数枚の平板が重合されてなるもの等であって良い。
【００４９】
また、本発明の軸受部は、支軸部の自由端を嵌合させてこれを支持することにより支持強度を向上するが、支軸部の自由端に係合してこれを支持するものであっても良い。
【００５０】
また、本発明の支軸部は、相対する他の支軸部に重合されて連結され、又は相対する軸受部に支持されることにより、両持ち支持状態とされることでロールペーパーの回転引き出し性を向上するが、片持ち支持状態でロールペーパーを回転可能に支持するものでも良い。
【００５１】
また、本発明の蓋板は、背面板の上縁部に連設されてなるものでも良い。
【００５２】
また、本発明のロールペーパー格納箱は、厚紙からなるものが廃棄処分性等において好ましいが、折り曲げ可能な厚板であればプラスチック板等からなるものであっても良い。
【産業上の利用可能性】
【００５３】
本発明によれば、１枚の展開状態の厚板から全てが構成され、ロールペーパーの回転引き出し性に優れるロールペーパー格納箱を提供することができる。
【符号の説明】
【００５４】
１  ロールペーパー
２  ペーパー
１０  箱胴
１１  正面板
１２、１３  側板
１４  背面板
２０  箱底
３１  蓋板
４０  支軸部
５０  軸受部
６１  第１の連結片（連結片）
６２  第２の連結片（連結片）
【図１】
2015208502.tif 000003
【図２】
2015208502.tif 000004
【図３】
2015208502.tif 000005
【図４】
2015208502.tif 000006
【図５】
2015208502.tif 000007
【図６】
2015208502.tif 000008
【手続補正書】
【提出日】平成27年4月16日(2015.4.16)
【手続補正１】
【補正対象書類名】特許請求の範囲
【補正対象項目名】全文
【補正方法】変更
【補正の内容】
【特許請求の範囲】
【請求項１】
１枚の展開状態の厚板を折り曲げることにより箱本体を形成し、該箱本体の中に設けた格納部にロールペーパーを納め、かつ該箱本体に備えた引き出し口からペーパーを引き出して使用可能にするロールペーパー格納箱であって、
前記箱本体が前記格納部を開閉する蓋板を有し、該蓋板が該蓋板につながる支軸部を備え、
外界に開かれた該蓋板の該支軸部にロールペーパーが回転可能に挿填され、該蓋板が該ロールペーパーを該支軸部に挿填した状態で閉蓋され、該支軸部及び該ロールペーパーを該格納部に格納可能にしてなるロールペーパー格納箱。
【請求項２】
前記箱本体が前記引き出し口を備えた正面板を有するとき、前記蓋板が該正面板、又は該正面板に相対する背面板の上縁部に連設されているヒンジ部を回転中心として開閉可能にされ、該蓋板の該ヒンジ部に交差する側縁部に連結片を介して前記支軸部を備える請求項１に記載のロールペーパー格納箱。
【請求項３】
前記連結片が、前記蓋板の閉蓋時に、前記箱本体の正面板及び背面板に交差する側板の内側面に添って前記格納部に納められる平板状をなし、
前記支軸部が該連結片の先端部に連結されて丸められた筒状をなす請求項２に記載のロールペーパー格納箱。
【請求項４】
前記蓋板の前記ヒンジ部に交差する両側の第１と第２の側縁部のそれぞれに第１と第２の連結片を介して支持部と軸受部のそれぞれを備え、ロールペーパーが挿填された支持部の自由端を軸受部に支持させることにより、ロールペーパーを回転可能に支持する請求項２又は３に記載のロールペーパー格納箱。
【請求項５】
前記蓋板の前記ヒンジ部に交差する両側の第１と第２の側縁部のそれぞれに第１と第２の連結片を介して支軸部と軸受部を備え、ロールペーパーが挿填された支軸部の自由端を軸受部に支持させてなる請求項２又は３に記載のロールペーパー格納箱。
【手続補正２】
【補正対象書類名】明細書
【補正対象項目名】００１２
【補正方法】変更
【補正の内容】
【００１２】
請求項４に係る発明は、請求項２又は３に係る発明において更に、前記蓋板の前記ヒンジ部に交差する両側の第１と第２の側縁部のそれぞれに第１と第２の連結片を介して支持部と軸受部のそれぞれを備え、ロールペーパーが挿填された支持部の自由端を軸受部に支持させることにより、ロールペーパーを回転可能に支持するようにしたものである。
【手続補正３】
【補正対象書類名】明細書
【補正対象項目名】００２０
【補正方法】変更
【補正の内容】
【００２０】
（請求項４）
(g)支軸部は、一端を蓋板の一側の側縁部に設けられた第１の連結片に支持され、他端の自由端を蓋板の他側の側縁部に設けられた第２の連結片の軸受部に支持される。従って、支軸部は蓋板の両側の側縁部に設けられた第１と第２の連結片により両持ち支持されるものになる。これにより、支軸部は箱本体の中における支持状態を安定化され、ロールペーパーを安定的に回転可能にし、ロールペーパーの引き出し使用性を向上する。